(57)【特許請求の範囲】
【請求項１】
ノズルからインクを噴射して記録媒体上に記録を行う記録ヘッドを有し、ワイパー手段によってノズル開口面が摺擦される記録ヘッドユニットにおいて、
金属製材料にて圧延されて板状に形成され、前記ノズルの開口面に配置されて、前記ワイパー手段によって摺擦されるカバープレートを備え、
前記カバープレートの表面は、圧延により形成された、圧延方向に沿った長さを有する微少な凹凸を有し、
前記カバープレートは、板状とされるときの圧延方向が前記ワイパー手段による前記ノズル開口面の摺擦方向とほぼ平行になるように取り付けられた
ことを特徴とする記録ヘッドユニット。
【請求項２】
前記ノズル開口面には、前記ノズルを形成したノズル形成部材を備え、
前記ノズル形成部材のインクに対する接触角は、前記カバープレートのインクに対する接触角よりも大きい
ことを特徴とする請求項１に記載の記録ヘッドユニット。
【請求項３】
前記ノズル形成部材のインクに対する接触角は、前記カバープレートのインクに対する接触角よりも４０度以上大きいことを特徴とする請求項２に記載の記録ヘッドユニット。
【請求項４】
本体フレームに対して突出した突出部に前記ノズル開口面が形成され、前記カバープレートは前記突出部のノズル開口面から前記ワイパー手段に摺擦される側面に至るまでを被覆する形状に形成されたことを特徴とする請求項１〜３のいずれかに記載の記録ヘッドユニット。
【請求項５】
請求項１〜請求項４のいずれかに記載の記録ヘッドユニットと、前記ワイパー手段とを備えたことを特徴とするインクジェット記録装置。
【発明の詳細な説明】
【０００１】
【発明の属する技術分野】
本発明は、インクを噴射する記録ヘッドユニット及び記録ヘッドユニットを備えたインクジェット記録装置に関するものである。
【０００２】
【従来の技術】
従来、紙やＯＨＰシートなどの記録媒体に対して記録を行うプリンタなどの記録装置には、記録媒体上に記録動作を行なうための記録ヘッドが備えられている。このような記録ヘッドとしては、たとえば、インクジェットヘッド、ドットインパクト式ヘッド、熱転写式ヘッドなどが挙げられるが、なかでも、インクジェットヘッドは、比較的構成が簡単で、高速印字、高品質印字が容易な記録ヘッドとして知られている。
【０００３】
インクジェットヘッドを有する記録ヘッドユニットは、インクを噴射する複数のノズルが形成されているノズル開口面を有している。そのノズル開口面に、インクや塵埃等の異物がノズル付近に付着すると、ノズルから噴射されるインク滴の飛翔方向が変化したり、ノズルからインクが噴射しなかったり、インク噴射が記録に適さない状態となる場合等において、それらインク噴射不良の要因を除去するインク噴射回復処理が行われる。
【０００４】
このようなインク噴射回復処理を行う手段として、記録ヘッドユニットのノズル開口面を摺擦して、ノズル開口面に付着したインクや塵埃等の異物を除去するワイパー手段がある。
【０００５】
【発明が解決しようとする課題】
ワイパー手段に摺擦されるノズル開口面には、金属製材料にて圧延されて板状に形成されたカバープレートが配置される。そのカバープレートの表面には、圧延にて板状とされたときに、微少な凹凸が形成され、微少な凹凸は、圧延方向に沿った方向の長さを有している。そして、板状とされるときの圧延方向がワイパー手段によるノズル開口面の摺擦方向と直交するように、カバープレートが配置されると、前記微少な凹凸の長さ方向が、ワイパー手段によって摺擦される摺擦方向に対して直交するため、インク噴射回復処理時に、ワイパー手段によって、記録ヘッドユニットのノズル開口面を摺擦すると、カバープレートの表面の微少な凹凸に、インクや塵埃等の異物が残りやすく、ノズル開口面上の異物を良好に除去することができないといった問題があった。
【０００６】
本発明は、上述した問題点を解決するためになされたものであり、金属製材料を圧延したカバープレートを配置したノズル開口面における異物を良好に除去することが可能な記録ヘッドユニット及びインクジェット記録装置を提供することを目的とする。
【０００７】
【課題を解決するための手段】
この目的を達成するために、請求項１の発明では、ノズルからインクを噴射して記録媒体上に記録を行う記録ヘッドを有し、ワイパー手段によってノズル開口面が摺擦される記録ヘッドユニットにおいて、金属製材料にて圧延されて板状に形成され、前記ノズルの開口面に配置されて、前記ワイパー手段によって摺擦されるカバープレートを備え、前記カバープレートの表面は、圧延により形成された、圧延方向に沿った長さを有する微少な凹凸を有し、前記カバープレートは、板状とされるときの圧延方向が前記ワイパー手段による前記ノズル開口面の摺擦方向とほぼ平行になるように取り付けられたことを特徴とする。
【０００８】
このように構成すると、金属製材料にて圧延されて板状に形成されたカバープレートが、板状とされるときの圧延方向が前記ワイパー手段による前記ノズル開口面の摺擦方向とほぼ平行になるように取り付けられるため、前記カバープレートの表面に圧延により形成された微少な凹凸の長さ方向が、前記ワイパー手段によって摺擦される摺擦方向とほぼ平行になって、前記ワイパー手段による前記ノズル開口面の摺擦時に、異物が前記凹凸に残りにくい。
【０００９】
また、請求項２の発明では、請求項１に記載の発明において、前記ノズル開口面には、前記ノズルを形成したノズル形成部材を備え、前記ノズル形成部材のインクに対する接触角は、前記カバープレートのインクに対する接触角よりも大きいことを特徴とする。
【００１０】
このような構成にすると、前記ワイパー手段により前記ノズル開口面を摺擦すると、前記ノズル形成部材のインクに対する接触角は、前記カバープレートのインクに対する接触角よりも大きいため、前記ノズル形成部材に摺擦したインクが残りにくい。
【００１１】
また、請求項３の発明では、請求項２に記載の発明において、前記ノズル形成部材のインクに対する接触角は、前記カバープレートのインクに対する接触角よりも４０度以上大きいことを特徴とする。
【００１２】
このような構成によると、前記ワイパー手段により前記ノズル開口面を摺擦すると、前記ノズル形成部材のインクに対する接触角は、前記カバープレートのインクに対する接触角よりも４０度以上大きいため、前記ノズル形成部材に摺擦したインクがほとんど残らない。
【００１３】
また、請求項４の発明では、請求項１〜３のいずれかに記載の発明において、本体フレームに対して突出した突出部に前記ノズル開口面が形成され、前記カバープレートは前記突出部のノズル開口面から前記ワイパー手段に摺擦される側面に至るまでを被覆する形状に形成されたことを特徴とする。
【００１４】
このような構成によると、前記ワイパー手段による前記ノズル開口面の摺擦時に、前記ワイパー手段が前記突出部の前記側面に当接して、前記ノズル開口面と前記側面とによって形成される角部に前記ワイパー手段が摺擦するが、その角部は、前記カバープレートによって被覆されているため、前記ワイパー手段による前記ノズル開口面の摺擦時に、異物が前記角部に残りにくい。
【００１５】
また、請求項５の発明では、インクジェット記録装置において、請求項１〜請求項４のいずれかに記載の記録ヘッドユニットと、前記ワイパー手段とを備えたことを特徴とする。
【００１６】
このような構成によると、前記ワイパー手段による前記記録ヘッドのノズル開口面の摺擦時に、異物が前記カバープレートの表面の前記凹凸に残りにくい。
【００１７】
【発明の実施の形態】
以下、本発明の実施の形態について図面を参照して説明する。図１は、本発明のインクジェット記録装置としてのカラーインクジェットプリンタの一実施形態を示す斜視図である。図１において、このカラーインクジェットプリンタ２１は、シアン、マゼンタ、イエロー、ブラックの４色のカラーインクがそれぞれ充填されるインク供給部材としてのインクカートリッジ２２と、記録媒体としての用紙２３に印字するための、記録ヘッドとしてのインクジェットヘッド２４を備える記録ヘッドユニットとしてのヘッドユニット２５と、これらインクカートリッジ２２およびヘッドユニット２５が搭載される支持部材としてのキャリッジ２６と、このキャリッジ２６を直線方向に往復移動させる駆動ユニット２７と、キャリッジ２６の往復移動方向に延び、インクジェットヘッド２４と対向配置されるプラテンローラ２８と、ワイパー手段４５と、パージ装置２９とを備えている。
【００１８】
駆動ユニット２７は、キャリッジ２６の下端部に配置されプラテンローラ２８と平行に延びるキャリッジ軸３０と、キャリッジ２６の上端部に配置されキャリッジ軸３０と平行に延びるガイド板３１と、そのキャリッジ軸３０とガイド板３１との間であって、キャリッジ軸３０の両端部に配置される２つのプーリ３２および３３と、これらプーリ３２および３３の間に掛け渡されるエンドレスベルト３４とを備えている。
【００１９】
キャリッジ２６の下端部には、キャリッジ軸３０を挿通可能なキャリッジ軸支持部３５が設けられるとともに、キャリッジ２６の上端部には、ガイド板３１に当接可能なガイド板当接部３６が設けられている。また、キャリッジ２６の後側面には、エンドレスベルト３４が接合されている。
【００２０】
そして、一方のプーリ３２が、キャリッジモータ３２Ａの駆動により正逆回転されると、そのプーリ３２の正逆回転に伴って、エンドレスベルト３４に接合されているキャリッジ２６が、キャリッジ軸３０およびガイド板３１に沿って、用紙２３の幅方向に沿うように直線的に往復移動される。
【００２１】
なお、用紙２３は、インクジェットプリンタ２１の側方に設けられた図示しない給紙カセットから給紙され、鉛直方向に対して下方に向いたヘッドユニット２５のノズル開口面２４ａと、プラテンローラ２８との間に導入されて、インクジェットヘッド２４の複数のノズルから噴出されるインクにより所定の記録がなされ、その後、排紙される。なお、図１においては、これらの用紙２３の給紙機構および排紙機構の図示を省略している。
【００２２】
また、プラテンローラ２８の側方には、ヘッドユニット２５のノズル開口面２４ａを摺擦して、ノズル開口面２４ａに付着したインクや塵埃等を除去するワイパー手段４５が設けられている。そのワイパー手段４５の側方には、パージ装置２９が設けられ、ヘッドユニット２５がリセット位置にある時に、ノズル開口面２４ａと対向するように配置されている。このパージ装置２９は、インクジェットヘッド２４のインクの初期導入時におけるインクの滞留や気泡の成長などに起因する噴射不良などを防止するために用いられる。
【００２３】
すなわち、このパージ装置２９は、インクジェットヘッド２４のノズルを覆い得る吸引キャップ４１と、吸引ポンプ３８およびカム３９と、廃インク貯留部４２とを備えており、ヘッドユニット２５がリセット位置にある時に、図示しない吸引モータによりカム３９を駆動して吸引キャップ４１をノズル開口面２４ａに当接して吸引キャップ４１でノズルを覆い、インクジェットヘッド２４の内部に溜まる気泡などを含んだ不良インクを、カム３９の駆動により吸引ポンプ３８によって吸引することにより、インクジェットヘッド２４の回復を図るようにしている。これにより、インクの初期導入時におけるインクの滞留や気泡の成長などに起因する吐出不良などを防止するインク噴射回復処理を行うことができる。なお、吸引された不良インクは、廃インク貯留部４２に貯められる。
【００２４】
そして、パージ装置２９には、各色毎のノズルを被覆するように各色毎に保護キャップ３７が吸引キャップ４１の側方に設けられ、ヘッドユニット２５が停止位置にある時に、ノズル開口面２４ａに当接して、各色全てのノズルを被覆するように構成されている。
【００２５】
ワイパー手段４５には、ノズル開口面２４ａに摺擦するワイパー部材４６（図５）と、ワイパー部材４６を支持するワイパーホルダ４７（図５）と、ワイパーホルダ４７をノズル開口面２４ａに対して接離方向に移動可能とする移動手段（図示せず）とを備えている。ワイパー部材４６は、ゴム材料、例えばＥＰＤＭを用いて成形によって形成されている。前記移動手段には、図示しないワイパーモータが設けられており、そのワイパーモータを制御することにより、ワイパー部材４６をノズル開口面２４ａに対して近接位置と、離間位置とに移動する。
【００２６】
次に、図２、図３、図４を参照して、ヘッドユニット２５の構成を説明する。用紙２３に沿って走行する公知のキャリッジ２６に搭載されるヘッドユニット２５の本体フレーム１は、ポリプロエチレン、ポリプロピレン等の合成樹脂材の射出形成品で、上面開放の略箱状に形成されており、その上方から４つのインクカートリッジ２２を着脱自在に装着できる搭載部３を有し、該搭載部３の一側部位３ａには、各インクカートリッジ２２のインク放出部（図示せず）に接続できるインク供給通路４ａ，４ｂ，４ｃ，４ｄが本体フレーム１の底板５の下面まで連通している。なお、前記搭載部３の一側部位３ａの上面には、前記インク放出部と密接できるようにしたゴム製等のパッキング（図示せず）が配置されている。
【００２７】
前記底板５は、前記搭載部３から一段下に突出するようにして水平状に形成され、該底板５の下面側には、後に詳述するフロントヘッドユニット６を２つ並列させて配置するための２つの支持部８、８を段付き状に形成する。該各支持部８にはＵＶ接着剤にて固定するための複数の空所９ａ，９ｂが上下に貫通するように形成されている。
【００２８】
フロントヘッドユニット６は、複数のノズル５４が形成されたノズルプレート４３を有するキャビティープレート（図示せず）と、該キャビティプレートに対して接着剤または接着シートを介して接着・積層されるプレート型の圧電アクチュエータ（図示せず）と、その上面に外部機器との電気的接続のために、フレキシブルフラットケーブル４０が接着剤にて重ね接合されて構成されており、最下層のキャビティープレートの下面側に開口されたノズル５４から下向きにインクが吐出するものとする。ノズルプレート４３には、フッ素による撥インク処理が施されており、ノズルプレート４３のインクに対する接触角は８０度〜９０度である。尚、１つのフロントヘッドユニット６には、２色のインクを噴射するためのノズル５４や圧電アクチュエータ等が備えられている。
【００２９】
そして、複数の空所９ａ，９ｂは、一つのフロントヘッドユニット６に対してその四隅近傍を固定する箇所に形成されているものであり、実施形態では、前記２つの支持部８、８のうち一辺（実施形態では長辺）が隣接する箇所においては、並設する２つのフロントヘッドユニット６、６の裏面に跨がるように、空所９ａ，９ａを広幅に形成する。
【００３０】
さらに、フロントヘッドユニット６の前面（下面）に沿って、弾性のある薄金属板製（例えば、ステンレス）のカバープレート４４が固着されている。そのカバープレート４４は、金属製材料にて圧延されて板状に形成されるため、その表面４４ｅ及び裏面４４ｈには、図７に示すように微少な凹凸が形成される。微少な凹凸は、圧延方向に沿った方向の長さを有している。そして、図６に示すように、板状とされるときの圧延方向（図６に示す矢印Ｃ方向）がワイパー部材４６によるノズル開口面２４ａの摺擦方向（図６に示す矢印Ｂ方向）とほぼ平行になるようにカバープレート４４が取り付けられている。つまり、カバープレート４４の表面４４ｅに圧延により形成された微少な凹凸の長さ方向が、ワイパー部材４６によって摺擦される摺擦方向（図６に示す矢印Ｂ方向）とほぼ平行になる。また、カバープレート４４の表面４４ｅのインクとの接触角はほぼ３０度である。
【００３１】
カバープレート４４は、中央部分においてノズルプレート４３に対応する孔４４ａを有し、両端において底板５の下面側から本体フレーム１の側面に沿って折曲部分４４ｂ，４４ｃが形成され、一方の折曲部分４４ｂで、フレキシブルフラットケーブル４０の中途部の下面側を覆うようにしている。
【００３２】
カバープレート４４の外周は、本体フレーム１に対してシリコーン接着剤等のシール剤で封止固定されている。すなわち、カバープレート４４の左右両側縁と底板５の左右両側に立ち上がったリブ５ａとの間、及びカバープレート４４の他方の折曲部分４４ｃの先端と本体フレーム１の側面との間に沿って、ほぼＵ字状にシール剤が充填され、また一方の折曲部分４４ｂの内側とフレキシブルフラットケーブル４０との間およびそのケーブル４０と本体フレーム１の側面との間にそれぞれシール剤が充填されている。
【００３３】
カバープレート４４の孔４４ａの内周とフロントヘッドユニット６の前面との間は、カバープレート４４とフロントヘッドユニット６とを接着する接着剤によって封止される。これにより、２個のフロントヘッドユニット６の間は、カバープレート４４によって塞がれ、かつ本体フレーム１とフロントヘッドユニット６の外周との間は、カバープレート４４およびシール剤を介して封止されて、本体フレーム１とフロントヘッドユニット６との隙間にインクや、紙粉、埃等が侵入することを防止でき、圧電アクチュエータとフレキシブルフラットケーブル４０との電気的接続箇所の電気的短絡事故が防止できるのである。また、一方の折曲部分４４ｂにより、フレキシブルフラットケーブル４０の引き出し方向を案内できるとともに、そのケーブル４０の保護もできる。このようにして、ヘッドユニット２５のノズル開口面２４ａには、ノズルプレート４３とカバープレート４４が配置されている。
【００３４】
尚、図示しないＲＯＭに記憶されたプログラムに基づいて図示しないＣＰＵが、カラーインクジェットプリンタ２１全体を制御する制御手段であって、例えば、上記キャリッジモータ３２Ａ、吸引モータ、ワイパーモータ等を制御する。
【００３５】
このように構成されたワイパー手段４５を用いたインク噴射回復処理について説明する。このインク噴射回復処理は、ＲＯＭ内のプログラム及びＣＰＵが、上記キャリッジモータ３２Ａ、吸引モータ、ワイパーモータを制御して行っている。
【００３６】
そして、カラーインクジェットプリンタ２１の電源をオンしたときや、記録開始する直前等にインク噴射回復処理が行われる。そのインク噴射回復処理では、ワイパー手段４５がノズル開口面２４ａを摺擦してノズル開口面上の２４ａ上のインクや塵埃などの異物を除去するためのワイピング動作が行われる。そのワイピング動作時には、図５に示すように、ヘッドユニット２５が、ワイパー部材４６と対向しない所定位置に配置される。そして、ワイパーモータが駆動されて、ワイパーホルダ４７がノズル開口面２４ａ側に近接する方向に移動し、ワイパー部材４６がノズル開口面２４ａに当接可能な位置で停止させる。
【００３７】
この状態から、キャリッジモータ３２Ａを駆動してヘッドユニット２５をワイパー部材４６側の方向（図６に示す矢印Ａ方向）にヘッドユニット２５を移動させると、ワイパー部材４６はノズル開口面２４ａ対して相対的に矢印Ｂ方向に摺擦し、ノズル開口面２４ａに付着したインクや塵埃等の異物を除去する。その後、ワイパー部材４６をノズル開口面２４ａに当接不可能な離間した位置に移動させる。
【００３８】
以上説明したように、金属製材料にて圧延されて板状に形成されたカバープレート４４が、板状とされるときの圧延方向（図６に示す矢印Ｃ方向）がワイパー部材４６によるノズル開口面２４ａの摺擦方向（図６に示す矢印Ｂ方向）とほぼ平行になるように取り付けられるので、カバープレート４４の表面４４ｅに圧延により形成された微少な凹凸の長さ方向が、ワイパー部材４６によって摺擦される摺擦方向とほぼ平行になって、ワイパー部材４６によるノズル開口面２４ａの摺擦時に、インクや塵埃等の異物が前記凹凸に残りにくいため、異物をノズル開口面２４ａから確実に除去することができる。
【００３９】
また、ノズルプレート４３のインクに対する接触角がカバープレート４４のインクに対する接触角よりも大きくすると、ワイパー部材４６によってノズルプレート４３を摺擦したインクがノズルプレート４３に残りにくいことを確認した。よって、このようにすれば、ノズルプレート４３上から異物を除去しやすくなる。
【００４０】
更に、ノズルプレート４３のインクに対する接触角がカバープレート４４のインクに対する接触角よりも４０度以上大きくすると、ワイパー部材４６によってノズルプレート４３を摺擦したインクが、ノズルプレート４３にほとんど残らないことを確認した。よって、このようにすれば、ノズルプレート４３から異物を確実に除去することができる。
【００４１】
尚、本体フレーム１に対して突出した底板５の突出リブ５ａをも被覆するようにカバープレートを形成すれば、つまり、カバープレートをノズル開口面２４ａからワイパー部材４６に摺擦される側面（突出リブ５ａ）に至るまでを被覆する形状に形成すれば、ワイパー部材４６によるノズル開口面２４ａの摺擦時に、ワイパー部材４６が、ノズル開口面２４ａと側面（突出リブ５ａ）とによって形成される角部に摺擦するが、その角部は、カバープレートによって被覆されているので、ワイパー部材４６によるノズル開口面２４ａの摺擦時に、インクや塵埃等の異物が前記角部に残りにくくなる。
【００４２】
また、上述したようなカバープレート４４を備えたヘッドユニット２５を備えたカラーインクジェットプリンタ２１では、ワイパー部材４６によるノズル開口面２４ａの摺擦時に、インクや塵埃等の異物がカバープレート４４の表面４４ｅの前記凹凸に残りにくいので、インクジェットヘッド２４のノズル５４から良好にインクが噴射され、用紙２３に良好に記録を行うことができる。
【００４３】
尚、本実施の形態では、複数色のインクを噴射するヘッドユニット２５に対応するカバープレート４４であったが、単色のインクを噴射するヘッドユニットに対応するカバープレートに用いてもよい。
【００４４】
また、ヘッドユニット２５のノズル開口面２４ａは下方を向いていたが、斜め下方を向いていても良いし、横方向（水平方向）を向いていても良い。
【００４５】
また、本実施の形態では、ワイパー手段４５のみによるインク噴射回復処理を行っているが、パージ装置２９及びワイパー手段４５によるインク噴射回復処理を行うようにしても良い。この場合のインク噴射回復処理では、吸引ポンプ３８を作動して吸引キャップ４１を介してノズル５４から不良インクを吸引し、その後、ワイパー部材４６によってワイピングする。
【００４６】
【発明の効果】
以上説明したことから明らかなように、請求項１記載の発明によれば、金属製材料にて圧延されて板状に形成されたカバープレートが、板状とされるときの圧延方向が前記ワイパー手段による前記ノズル開口面の摺擦方向とほぼ平行になるように取り付けられるため、前記カバープレートの表面に圧延により形成された微少な凹凸の長さ方向が、前記ワイパー手段によって摺擦される摺擦方向とほぼ平行になって、前記ワイパー手段による前記ノズル開口面の摺擦時に、異物が前記凹凸に残りにくいため、異物を前記ノズル開口面から確実に除去することができる。
【００４７】
また、請求項２の発明によれば、前記ノズル形成部材のインクに対する接触角は、前記カバープレートのインクに対する接触角よりも大きいので、前記ノズル形成部材に摺擦したインクが残りにくく、摺擦したインクを前記ノズル形成部材から除去することができる。
【００４８】
また、請求項３の発明によれば、前記ノズル形成部材のインクに対する接触角は、前記カバープレートのインクに対する接触角よりも４０度以上大きいので、前記ノズル形成部材に摺擦したインクがほとんど残らなく、摺擦したインクを前記ノズル形成部材から確実に除去することができる。
【００４９】
また、請求項４の発明によれば、前記ワイパー手段による前記ノズル開口面の摺擦時に、前記ワイパー手段が前記突出部の前記側面に当接して、前記ノズル開口面と前記側面とによって形成される角部に前記ワイパー手段が摺擦するが、その角部は、前記カバープレートによって被覆されているため、前記ワイパー手段による前記ノズル開口面の摺擦時に、異物が前記角部に残りにくく、前記角部を含むノズル開口面から異物を確実に除去することができる。
【００５０】
また、請求項５の発明によれば、前記ワイパー手段による前記記録ヘッドユニットのノズル開口面の摺擦時に、異物が前記カバープレートの表面の前記凹凸に残りにくいので、前記記録ヘッドのノズルから良好にインクが噴射され、記録媒体に良好に記録を行うことができる。
【図面の簡単な説明】
【図１】  本発明のインクジェット記録装置としてのカラーインクジェットプリンタの一実施形態を示す斜視図である。
【図２】  ヘッドユニットのノズル側を上にした斜視図である。
【図３】  ヘッドユニットの部品の分解斜視図である。
【図４】  ヘッドユニットの部品を本体フレームの上方から見た分解斜視図である。
【図５】  ワイピング時にワイパー部材がノズル開口面に接近した状態を示す説明図である。
【図６】  カバープレートの圧延方向とワイパー部材による摺擦方向を示す説明図である。
【図７】  カバープレートの表面に形成された凹凸を示すカバープレートの断面図である。
【符号の説明】
２１ カラーインクジェットプリンタ
２４ インクジェットヘッド
２４ａ ノズル開口面
２５ ヘッドユニット
４３ ノズルプレート
４４ カバープレート
４５ ワイパー手段
４６ ワイパー部材
【図１】
0003767394.tif 000002
【図２】
0003767394.tif 000003
【図３】
0003767394.tif 000004
【図４】
0003767394.tif 000005
【図５】
0003767394.tif 000006
【図６】
0003767394.tif 000007
【図７】
0003767394.tif 000008